(57)【要約】【課題】携帯型電子機器と外部センサからなる生体情報測定器において、両者をケーブル等で有線接続することなしに、また容量の大きなバッテリーを外部センサに搭載することなしに、さらにユーザが特に意識をすることなしに、外部センサで取得した生体情報を携帯型電子機器に転送することのできる生体情報処理システムの提供を課題とする。【解決手段】外部センサであるリングセンサと携帯型電子機器からなり、リングセンサを装着した手で携帯型電子機器を把持した時に、リングセンサの生体情報出力端子がそれに対応する位置に配置された携帯型電子機器の凹型生体情報取得部に嵌合し、手から取得した生体情報が携帯型電子機器に転送される生体情報処理システム提供する。【選択図】図１
2007252780.tif 000002
【特許請求の範囲】
【請求項１】
手に装着してその手から生体情報を取得するリングセンサと、
リングセンサから生体情報を取得して処理する携帯型電子機器と、
からなる生体情報処理システムであって、
リングセンサは、生体情報を出力するための生体情報出力端子を有し、
携帯型電子機器には、リングセンサを装着した手で把持する際に、そのリングセンサの生体情報出力端子に対応する位置にこれを嵌合する凹型生体情報取得部を有する生体情報処理システム。
【請求項２】
携帯型電子機器は、把持する手を位置決めするための位置決部を有する請求項１に記載の生体情報処理システム。
【請求項３】
前記位置決部は、指型くぼみであり、該当する指に装着されたリングセンサが指型くぼみに接触する位置に前記生体情報取得部を配置した請求項２に記載の生体情報処理システム。
【請求項４】
リングセンサの生体情報出力端子と凹型生体情報取得部とが所定の相対位置関係で嵌め合わせ可能となるように、凹型生体情報取得部の凹型形状と、リングセンサのリングの円周形状とは、ともに非点対称形状である請求項１から３のいずれか一に記載の生体情報処理システム。
【請求項５】
リングセンサの生体情報出力端子は、リング外周部に設けられた請求項１から４のいずれか一に記載の生体情報処理システム。
【請求項６】
前記リング外周部に設けられたリングセンサの生体情報出力端子は、リング外周部の全周にわたって形成されたリング形状をなす請求項５に記載の生体情報処理システム。
【請求項７】
前記リング外周部に設けられたリングセンサの生体情報出力端子は、リング外周部の一部に形成された円弧形状をなす請求項５に記載の生体情報処理システム。
【請求項８】
リングセンサは、
生体情報出力端子を保護するために、生体情報出力端子の非使用時にはこれをカバーし、生体情報出力端を使用する場合に前記嵌合に応じてカバーを解除するカバー部を有する請求項１から７のいずれか一に記載の生体情報処理システム。
【請求項９】
リングセンサで取得される生体情報は、血圧、体温、血液成分、血中酸素飽和度、脈拍に関する情報である請求項１から８のいずれか一に記載の生体情報処理システム。
【請求項１０】
携帯型電子機器は携帯電話である請求項１から１０のいずれか一に記載の生体情報処理システム。
【請求項１１】
手に装着してその手から生体情報を取得するリングセンサと、
リングセンサから生体情報を取得して処理する携帯型電子機器と、
からなる生体情報処理システムであって、
リングセンサは、
携帯型電子機器から送信される設定情報に基づき機能設定を行う機能設定部を有し、
携帯型電子機器は、
リングセンサに対して設定情報を送信する設定情報送信部と、
送信した設定情報に基づいてリングセンサを利用するユーザに対して行う警告の警告スケジュールを取得する警告スケジュール取得部と、
取得した警告スケジュールに基づいて前記警告を実行する警告部と、
を有する生体情報処理システム。
【請求項１２】
リングセンサは、
取得した生体情報を送信前にバッファするバッファ部を有するとともに、
機能設定部は、送信された設定情報に基づいてセンサの測定インターバルと、測定時間に関する機能設定を行うインターバル設定手段を有し、
携帯型電子機器は、
前記警告スケジュール取得部が、インターバル設定手段が利用すべき設定情報に基づいて前記バッファがいっぱいになる時間を知らせるための警告のバッファ警告スケジュールを取得するバッファ警告スケジュール取得手段を有する
請求項１１に記載の生体情報処理システム。
【請求項１３】
携帯型電子機器の警告スケジュール取得部は、送信した設定情報に基づいてセンシング項目ごとの項目別警告スケジュールを取得する項目別警告スケジュール取得手段を有する請求項１１又は１２に記載の生体情報処理システム。
【請求項１４】
携帯型電子機器の警告部は、取得した項目別警告スケジュールに基づいてセンシング項目ごとに異なる警告を実行する項目別警告手段を有する請求項１３に記載の生体情報処理システム。
【請求項１５】
手に装着してその手から生体情報を取得するリングセンサと、
リングセンサから生体情報を取得して処理する携帯型電子機器と、
からなる生体情報処理システムであって、
携帯型電子機器においてリングセンサに対して設定情報を送信する設定情報送信ステップと、
リングセンサにおいて携帯型電子機器から送信される設定情報に基づき機能設定を行う機能設定ステップと、
携帯型電子機器において送信した設定情報に基づいてリングセンサを利用するユーザに対して行う警告の警告スケジュールを取得する警告スケジュール取得ステップと、
携帯型電子機器において取得した警告スケジュールに基づいて前記警告を実行する警告ステップと、
からなる生体情報処理システムの動作方法。
【請求項１６】
手に装着してその手から生体情報を取得するリングセンサと、
リングセンサから生体情報を取得して処理する携帯型電子機器と、
からなる生体情報処理システムであって、
携帯型電子機器においてリングセンサに対して設定情報を送信する設定情報送信ステップと、
リングセンサにおいて携帯型電子機器から送信される設定情報に基づきセンサの測定インターバルと、測定時間に関する機能設定を行うインターバル設定ステップと、
リングセンサにおいて取得した生体情報を送信前にバッファするバッファステップと、携帯型電子機器において送信した設定情報に基づいてインターバル設定手段が利用すべき設定情報に基づいて前記バッファがいっぱいになる時間を知らせるための警告のバッファ警告スケジュールを取得するバッファ警告スケジュール取得ステップと、
携帯型電子機器において取得したバッファ警告スケジュールに基づいて前記警告を実行する警告ステップと、
からなる生体情報処理システムの動作方法。
【請求項１７】
手に装着してその手から生体情報を取得するリングセンサと、
リングセンサから生体情報を取得して処理する携帯型電子機器と、
からなる生体情報処理システムであって、
携帯型電子機器においてリングセンサに対して設定情報を送信する設定情報送信ステップと、
リングセンサにおいて携帯型電子機器から送信される設定情報に基づき機能設定を行う機能設定ステップと、
携帯型電子機器において送信した設定情報に基づいてセンシング項目ごとの項目別警告スケジュールを取得する項目別警告スケジュール取得ステップと
携帯型電子機器において取得した項目別警告スケジュールに基づいて前記警告を実行する警告ステップと、
からなる生体情報処理システムの動作方法。
【発明の詳細な説明】
【技術分野】
【０００１】
本発明は、リングセンサと携帯型電子機器とからなる生体情報処理システム、及びその動作方法に関する。
【背景技術】
【０００２】
近年、健康ブームもあいまって、人々の健康に対する意識が向上している。それに伴い、健康食品や健康グッズの需要も増加傾向にある。健康グッズと言えば、従来は家庭用運動器具や歩数計等がその典型であった。しかし、昨今は電子機器の発達に伴い、体脂肪、血圧、血糖値、脈拍等の健康管理に必要な生体情報を測定するための家庭用生体情報測定器が数多く出回っている。このような家庭用生体情報測定器を用いれば、ユーザは自己の健康状態を気軽に、かつ容易に確認することができる。また、測定されたデータは、数値やグラフのような具体的情報として示されることから、ユーザはより高い健康状態を目標として努力をしようとするため、健康増進に繋がる利点もある。
【０００３】
一方、近年は老若男女を問わず多くの人々が携帯電話を所持するようになっている。携帯電話は、その所有者が常時携帯するという特殊な性質をもった高機能電子機器である。そこで、このような携帯電話等の通信端末と小型軽量化された生体センサとを融合させ、携帯電話から生体情報の測定を行うことが可能となっている。
【０００４】
特許文献１は、血糖値を計測することのできる小型の生体センサ内蔵の携帯電話機等の発明である。この発明によれば、血糖値を測定することのできる、運搬性がよくて、衛生的で、測定時に心理的負担が少なく、測定動作が容易な小型の生体センサ内臓携帯電話機を実現することができる。しかし、この発明はユーザが血糖値を測定する度に携帯電話の血糖測定部を唇に接触させる必要がある。すなわち、携帯電話に内蔵された生体センサで生体情報の測定する場合には、ユーザが毎回意識して測定を行わなければならないという煩わしさがある。このような方法では健康に対する意識が余程高い者でなければ測定は長続きしない。この問題を解決するために、生体センサを指輪や腕輪に内蔵した外付型の外部センサにする方法も検討されている。当該方法によれば、生体センサを常時身体に装着できることから、ユーザが特に意識することなしに生体情報を測定できるという利点がある。それゆえ、生体情報の常時観測や長期的データの集積が可能になり、より正確な自己の健康状態を知ることができる。
【特許文献１】特開２００３−３０４９３８
【発明の開示】
【発明が解決しようとする課題】
【０００５】
ところが、外部センサの場合には、当該センサで測定した情報を何らかの方法で携帯電話等の携帯型電子機器に転送しなければならないという新たな問題が生じる。これを解決する方法として一般的に考えられるのは、ケーブル等を用いた有線接続による転送方法と、無線通信による方法である。しかし、有線接続による転送方法は、転送の度に外部センサと携帯型電子機器間を接続しなければならないという煩わしさがある。また、接続用ケーブルを携帯しなければならないという問題もある。一方、無線通信による転送方法では有線接続のような問題はないが、外部センサに通信機を設ける必要がある。それに伴い容量の大きなバッテリーを搭載する必要が生じるため、結果として外部センサの小型化や軽量化に支障をきたすという問題がある。
【課題を解決するための手段】
【０００６】
上記課題を解決するために本発明では、外部センサであるリングセンサと携帯型電子機器からなる生体情報処理システムを提供する。この生体情報処理システムは、ユーザが特に意識することなしにリングセンサを装着した手で携帯型電子機器を把持した際に、リングセンサの生体情報出力端子がそれに対応する位置に配置された携帯型電子機器の凹型生体情報取得部に嵌合し、生体情報が携帯型電子機器に転送されるというものである。すなわち、本願発明は、以下に示す生体情報処理システム、並びにその動作方法を提供する。
【０００７】
本発明は、手に装着してその手から血圧、体温、血液成分、血中酸素飽和度、脈拍等に関する生体情報を取得するリングセンサと、リングセンサから生体情報を取得して処理する携帯電話等の携帯型電子機器とからなる生体情報処理システムであって、リングセンサは、生体情報を出力するための生体情報出力端子を有し、携帯型電子機器には、リングセンサを装着した手で把持する際に、そのリングセンサの生体情報出力端子に対応する位置にこれを嵌合する凹型生体情報取得部を有する生体情報処理システムを提供するものである。
【０００８】
また、本発明は、携帯型電子機器が把持する手を位置決めするための指型くぼみ等の位置決部を有することを特徴とする生体情報処理システムを提供する。
【０００９】
さらに、本発明は、リングセンサが生体情報出力端子を保護するために、生体情報出力端子の非使用時にはこれをカバーし、生体情報出力端を使用する場合に前記嵌合に応じてカバーを解除するカバー部を有することを特徴とする生体情報処理システムを提供する。
【００１０】
また、本発明は手に装着してその手から生体情報を取得するリングセンサと、リングセンサから生体情報を取得して処理する携帯型電子機器とからなる生体情報処理システムであって、リングセンサは携帯型電子機器から送信される設定情報に基づき機能設定を行う機能設定部を有し、携帯型電子機器はリングセンサに対して設定情報を送信する設定情報送信部と送信した設定情報に基づいてリングセンサを利用するユーザに対して行う警告の警告スケジュールを取得する警告スケジュール取得部と取得した警告スケジュールに基づいて前記警告を実行する警告部とを有する生体情報処理システムとその動作方法を提供する。
【００１１】
また、本発明は、取得した生体情報を送信前にバッファするバッファ部を有するとともに、機能設定部が、送信された設定情報に基づいてセンサの測定インターバルと、測定時間に関する機能設定を行うインターバル設定手段を有し、携帯型電子機器が、前記警告スケジュール取得部が、インターバル設定手段が利用すべき設定情報に基づいて前記バッファがいっぱいになる時間を知らせるための警告のバッファ警告スケジュールを取得するバッファ警告スケジュール取得手段を有することを特徴とする生体情報処理システムを提供する。
【００１２】
また、本発明は、携帯型電子機器の警告スケジュール取得部が送信した設定情報に基づいてセンシング項目ごとの項目別警告スケジュールを取得する項目別警告スケジュール取得手段を有することを特徴とし、またこのとき携帯型電子機器の警告部が、取得した項目別警告スケジュールに基づいてセンシング項目ごとに異なる警告を実行する項目別警告手段を有することを特徴とする生体情報処理システムを提供する。
【発明の効果】
【００１３】
本発明の生体情報処理システムによれば、ユーザがリングセンサを装着した手で携帯型電子機器を把持するだけで、特に意識をすることなしにリングセンサが取得した生体情報を携帯型電子機器に転送できる。よって、ケーブルは必要ない。また、携帯型電子機器からの無線による電力供給や接点接触による瞬時充電、ソーラー電池等による自家発電を行わせることでバッテリーを搭載する必要は必ずしもなくなる。したがって、リングセンサの小型化や軽量化も可能となる。また、本発明の生体情報処理システムによれば、凹型生体情報取得部により、携帯型電子機器の入力端子とリングセンサの生体情報出力端子とを至近距離に配置することができる。
【発明を実施するための最良の形態】
【００１４】
以下に、各発明を実施するための最良の形態を説明する。なお、本発明はこれらの実施の形態に何ら限定されるものではなく、その要旨を逸脱しない範囲において、種々なる様態で実施しうる。実施形態１は、主に請求項１、４、５、６、７、９、１０等について説明する。また、実施形態２は、主に請求項２、３等について説明する。また、実施形態３は、主に請求項８等について説明する。また、実施形態４は、主に請求項１１、１５等について説明する。また、実施形態５は、主に請求項１２、１６等について説明する。また、実施形態６は、主に請求項１３、１４、１７等について説明する。
【００１５】
<<実施形態１>>
【００１６】
<実施形態１：概要>  実施形態１は生体情報処理システムに関する。図１は本実施形態の生体情報処理システムの概念の一例を示すものである。この図は、リングセンサ（０１０１）を装着した破線で示す手が、携帯型電子機器（０１０２）である携帯電話を把持している場面を示している。リングセンサは、手が携帯電話を把持したときに、取得した生体情報を図示していない生体情報出力端子から携帯電話に出力する。携帯電話側はリングセンサの生体情報出力端子を嵌合するように凹型生体情報取得部（０１０３）を有することで、凹型生体情報取得部内の図示していない入力端子と生体情報出力端子が至近距離に配置されるようにしている。これにより、ユーザが特に意識することなくリングセンサを装着した手で携帯型電子機器を把持するだけで、リングセンサ内にバッファされた生体情報を携帯型電子機器に送信できる。
【００１７】
<実施形態１：構成>  図２は、実施形態1の構成を示す機能ブロック図の一例である。この図に示す本実施形態の生態情報処理システム（０２００）は、リングセンサ（０２０１）と、携帯型電子機器（０２０２）とからなり、リングセンサは生体情報出力端子（０２０３）を、また携帯型電子機器は凹型生体情報取得部（０２０４）とを有している。
【００１８】
<実施形態1：構成の説明>  以下に実施形態1の各構成を説明する。
【００１９】
「リングセンサ」（０２０１）は、手に装着してその手から生体情報を取得するように構成されている。リングセンサは、手にある程度密着した状態で、手を周回するようなリング形状をなしている。リング形状は、血圧や脈拍のような生体情報を際に、皮膚面を加圧する上で、必要な形状である。このようなリング形状を持つものとしては、例えば、指輪、腕輪、テープ、手袋等が挙げられる。テープはリング状ではないが、装着時に手に巻きつけてリング形状とすることができる。また、手袋は指の長軸に対する垂直断面がリング形状であるため該当する。リングセンサの装着場所は手であれば特に限定はしない。例えば、左右どちらの手であっても、またいずれの指であっても構わない。当該リングセンサは、ハードウェア構成上、生体から生体情報を取得するためのセンサ、取得した生体情報を処理するＣＰＵ、メインメモリであるＲＡＭ、取得した生体情報をバッファするための不揮発性メモリ、携帯型電子機器等との間で情報の通信や電力を受容するためのインターフェースで構成されている。
【００２０】
リングセンサへの電力の供給方法は、例えば、インターフェースを介した携帯型電子機器との接触時に当該携帯型電子機器から内蔵のバッテリーに充電される方法等が挙げられる。この方法はバッテリーを有するが、端子を介した直接充電であるため送受信機を必要としない。したがって、リングセンサの小型化が可能となる。他の電力供給の方法として、携帯型電子機器に備えられた無線による電力供給手段により供給する方法や、リングセンサにソーラー電池、若しくは外気と体温の温度差で発電する熱起電力素子を搭載することによりリングセンサに自家発電させる方法も挙げられる。これらの方法は、リングセンサをバッテリーレスにすることができるため、リングセンサの小型化、軽量化が可能となる。
【００２１】
「生体情報」とは、生体の全身、各器官、又は各組織の状態を示す情報である。例えば、血圧、体温、血液成分、血中酸素飽和度、脈拍、心電図、脳波等のある時点の状態や、経時的な状態の変化に関する情報である。このような情報は、センサにより生体から取得された後、電気信号に変換され、処理されて、最終的に数値やグラフ等のユーザが具体的に認識できる情報として表示される。本発明のリングセンサで取得する生体情報は、手からその情報を取得するという構成から、血圧、体温、血液成分（血糖値を含む）、血中酸素飽和度、脈拍、汗成分等が該当する。生体情報は、同一個人であっても測定ごとに誤差によるバラツキが生じる。そのため数回の測定程度では正確な値を算出できないことが多い。しかし、リングセンサであれば、継続的な生体情報の取得が可能となる。継続取得であれば、誤差を相殺して、より正確な生体情報の取得ができるる。そのような意味からもリングセンサから生体情報を得る本発明は、従来の携帯型電子機器にセンサを内蔵するタイプの発明よりも優れていると言える。
【００２２】
生体情報の取得は、専用のセンサによって行われる。例えば、血圧であれば血圧センサ、体温であれば体温センサ、血液成分であれば血液成分センサ、血中酸素飽和度であれば血中酸素濃度測定センサ、脈拍であれば脈拍センサという具合である。ここで、センサの構成例として体温を測定する体温センサを例に挙げて説明する。体温センサは、サーミスタによって形成された感温素子を有している。体温センサは、このサーミスタを定電圧駆動させ、生体に接した際にこのサーミスタに流れる電流の変化を電流電圧変換することにより電気信号として体温を取得する。このようにして取得された電気信号は、計測回路で補正、増幅等の処理が加えられ、Ａ／Ｄ変換部にてデジタル信号に変換される。当該デジタル信号は、体温情報として後述するリングセンサ内の不揮発性メモリにバッファされる。
【００２３】
「生体情報出力端子」（０２０３）は、リングセンサにあって、取得した生体情報を出力するように構成されている。生体情報出力端子は、取得した生体情報をユーザが特に意識することなく後述する凹型生体情報取得部を介して携帯型電子機器に転送できる構成となっている。ゆえに、取得した生体情報の出力先は、通常は携帯型電子機器である。しかし、ユーザが意識的にリングセンサから生体情報を転送させる場合もあり得る。したがって、そのような場合、生体情報出力端子からの生体情報の出力先は、携帯型電子機器以外の電子機器であってもよい。例えば、デスクトップ型ＰＣのような固定型電子機器等等が該当する。また、実施形態４で述べるように生体情報出力端子は、携帯型電子機器から送信される設定情報等を取得可能なようにも構成されている。つまり、生体情報出力端子は情報の出力だけでなく入力できる。生体情報出力端子の数は、情報の出入力が可能なように構成されていれば、特に限定しない。例えば、出入力が可能な一の端子で構成されていてもよいし、出力専用と入力専用の端子からなる２以上の端子から構成されていてもよい。デバイスとしての生体情報出力端子は、携帯型電子機器との間で情報の通信を行うリングセンサ側のインターフェースに該当する。
【００２４】
生体情報出力端子の設置場所は、リング外周部であることが望ましい。これは、リング外周面であれば、皮膚に邪魔されることなく生体情報出力端子を凹型生体情報取得部に嵌合させることができるためである。なお、ここで言うリング外周部にはリング上面のみならずリング側面も含まれる。リング外周部における生体情報出力端子の配置は、生体情報出力端子が凹型生体情報取得部に嵌合したときに至近配置されれば、特に限定しない。例えば、図４で示すように生体情報出力端子がリング外周部の全周にわたってリング形状に形成されていてもよい（生体情報出力端子：０４０１）。この場合は、装着したリングが回転しても生体情報出力端子を常に携帯型電子機器の入力端子に至近配置できるという利点がある。また、図５で示すように生体情報出力端子がリング外周部の一部に円弧形状をなすように形成されていてもよい（生体情報出力端子：０５０１）。この場合は、生体情報出力端子のない外周面に装飾を施すこと等が可能となるので、リングセンサを外見的に違和感のない状態で装着できるという利点がある。
【００２５】
「携帯型電子機器」（０２０２）は、リングセンサから生体情報を取得して処理するように構成されている。携帯型電子機器とは、ユーザが携帯できる電子機器全般を指す。例えば、携帯電話、ＰＤＡ、デジタルカメラ、ポータブルミュージックプレーヤー、ノートブックパソコン等が該当する。また、携帯型電子機器は、前記のような元来電子機器としての機能を有するもの以外のものであってもよい。例えば、スキーのストックのグリップ部のように本来は電子機器でない部分を電子機器化して本発明の生体情報処理システムの携帯型電子機器とすることもできる。これによりスキー選手等は、手袋状のリングセンサから取得される練習時の自己の生体情報を得ることが可能となる。携帯型電子機器として特に好ましいのは携帯電話である。なぜなら、前述のように携帯電話は昨今老若男女を問わず多くの人々が日常的に携帯し、また度々把持する携帯型電子機器だからである。したがって、携帯電話であればリングセンサが取得した生体情報を頻繁に転送することができる。これは、リングセンサ内の不揮発性メモリの記憶容量を大きくすることなしに継続的な生態情報の取得が可能となることからも便利である。当該携帯型電子機器は、取得した情報の処理を行うＣＰＵ、メインメモリであるＲＡＭ、取得した情報の記録、保持をする不揮発性メモリ、映像を表示するディスプレイ、様々な命令を入力するためのキー、リングセンサ等の外部電子機器との間で情報の通信や電力の供給を行うためのインターフェース、バス等を基本構成として有する。携帯型電子機器が携帯電話の場合であれば、さらに外部との通信を行うアンテナ、音声を入力するマイク、音声を出力するスピーカー、マナーモード用のバイプレータ、バッテリー等を有している。
【００２６】
取得した生体情報の処理については特に限定はしない。例えば、リングセンサから取得した生体情報の数値等をそのままディスプレイで表示してもよいし、予め入力された解析プログラム等に従って、取得した生体情報の時間的変化をグラフ化する等してもよい。
【００２７】
「凹型生体情報取得部」（０２０４）は、携帯型電子機器にあって、リングセンサを装着した手で把持する際に、そのリングセンサの生体情報出力端子に対応する位置にこれを嵌合するように構成されている。凹型生体情報取得部は、その内部にリングセンサとの間で情報の通信を行うための入力端子であるインターフェースを有する。一のリングセンサと対応する凹型生体情報取得部の凹部は複数あってもよい。例えば、リングセンサが指に装着されている場合、いずれの指に装着してもリングセンサが凹部に対して嵌合可能であると便利である。そこで、いずれの指にリングセンサが装着されていても、いずれかの凹部にリングセンサが嵌合するようにリングセンサを嵌めた指の部分が自然と当接するであろう携帯型電子機器の領域の全てに凹部を備えるとより好ましい。「生体情報出力端子に対応する位置にこれを嵌合する」とは、生体情報出力端子が生体情報出力端子とその周辺部を前記入力端子との間で情報通信できるように配置し、かつホールドすることを言う。すなわち、図６で示すようにリングセンサ（０６０４）の生体情報出力端子（０６０１）は、凹型生体情報取得部（０６０２）によって携帯型電子機器（０６０５）上でホールドされることになる。これによって生体情報出力端子（０６０１）と入力端子（０６０３）の両インターフェースが至近配置されることから両端子間での通信が容易に行えるようになる。このとき生体情報出力端子と入力端子は、必ずしも接触する必要はない。なぜなら、両端子が所定の距離以下に配置されれば、ＲＦＩＤとＲＦＩＤリーダーのように無線通信によって通信を行うことも可能だからである。したがって、生体情報出力端子と入力端子は図４や図５で示したように外界に露出した状態だけでなく、図７で示すように端子がプラスチックフィルム（０７０１）等で被覆された状態であっても問題はない。
【００２８】
ところで、生体情報出力端子が図４のようにリング外周部の全周にわたって形成されている場合には、装着したリングセンサが回転しても当該端子を携帯型電子機器の入力端子に至近配置できる。よって、このように形成されている場合、回転方法に対しては端子どうしの至近配置に問題はない。ところが、リングセンサが凹型生体情報取得部の中で横方向にずれた場合には、両端子が至近配置されなくなることも考えられる。また、生体情報出力端子が図５のようにリング外周部の一部に形成された円弧形状をなすように形成されている場合には、リングセンサが回転してしまうと、たとえがリングセンサと凹型生体情報取得部とが嵌合していても生体情報出力端子と入力端子とが至近配置されないことも考えられる。そこで、リングセンサの生体情報出力端子と凹型生体情報取得部とが所定の相対位置関係で嵌め合わせ可能となるようにしてもよい。すなわち、凹型生体情報取得部の凹型形状と、リングセンサのリングの円周形状とが、ともに非点対称形状でお互い嵌合可能なようにしてもよい。このような形状にすれば、嵌合後にリングセンサの回転が抑制される。それによって、生体情報出力端子と凹型生体情報取得部とはより確実に至近配置されることから便利である。リングセンサの外周形状が生体情報出力端子を中心に非点対称形状である場合の具体的例として図８、及び９を説明する。図８のＡは、当該リングセンサの正面図（０８０１）、左側面図（０８０２）、右側面図（０８０３）、下面図（０８０４）の４面図を表す。また、図８のＢは、Ａのリングセンサ（０８０６）と、それを嵌合する凹型生体情報取得部（０８０７）との斜視図を表す。図８のＡに示す４面のシルエットは通常のリングと変わらないが、図８のＢのように立体構造上は、生体情報出力端子（０８０５）周辺の正面、側面、下面は全て左右非対称となっている。また、図９のＡは、当該リングセンサの正面図（０９０１）、左側面図（０９０２）、右側面図（０９０３）、下面図（０９０４）の４面図を表す。また図９のＢは、Ａのリングセンサ（０９０６）と、それを嵌合する凹型生体情報取得部（０９０７）との斜視図を示している。図９のＡで示すように正面、下面のシルエットは通常のリングと変わらないが、図９のＢのように両側面はテーパー状で、かつ左右非対称となっている。これらの形状を有するリングセンサと、それに対応する凹型形状の凹型生体情報取得部とであれば、生体情報出力端子（０９０５）と凹型生体情報取得部の嵌合は所定の相対位置関係でのみ行われることになる。また、生体情報出力端子が所定の位置から多少ずれていた場合であっても、リングセンサと凹型生体情報取得部が近接することでリングセンサの回転を促し、生体情報出力端子を所定の位置に修正誘導できる。その結果、携帯型電子機器の入力端子と生体情報出力端子とを確実に至近配置できるため便利である。
【００２９】
携帯型電子機器の入力端子と生体情報出力端子とを、さらに確実に至近配置するために、リングセンサに個人認証リングとしての機能を持たせてもよい。これは、例えば、リングセンサに予めＩＤを登録しておき、携帯型電子機器は当該ＩＤを認証した際にのみ使用可能となるようにするという具合である。このような機能をもたせていれば、たとえリングセンサのＩＤと携帯型電子機器の認証ＩＤとが同一であっても、両者の嵌合が正確でなければＩＤは認証されない。それによって、ユーザは嵌合が不完全であることに気付き、自ら修正をするようになる。同時に当該修正によって嵌合が正確に行われるため生体情報は確実に転送される事になる。ＩＤは任意に選択される番号であってもよいし、生体認証登録された情報であってもよい。リングセンサに指紋や静脈等の生体認証センサを搭載しておき、携帯型電子機器に予め所有者の生体認証を登録しておけばよい。もしも、リングセンサを他人が装着した場合であっても携帯型電子機器は使用できず、生体情報も送信されないため便利である。
【００３０】
<実施形態1：ハードウェア構成上の各部の実現>  本実施形態の各部を実現するための一例を、図３を用いて以下で具体的に説明をする。ここでは、リングセンサで生体情報として体温を測定する場合を例に説明する。
【００３１】
リングセンサのＣＰＵ１（０３０１）は、不揮発性メモリ１（０３０３）から生体情報取得用プログラムをＲＡＭ１（０３０２）上に呼び出す。ＣＰＵ１はＲＡＭ１上に展開された当該プログラムを順次実行する。まず、ＣＰＵ１はセンサ（０３０５）に対して生体からの体温情報の取得の命令を行う。次に、ＣＰＵ１は、センサで取得された体温情報をＲＡＭ１（０３０２）に格納して、アドレスを付した後に不揮発性メモリ１（０３０３）にバッファする。続いて、ユーザがリングセンサを装置した手で携帯型電子機器を把持することでリングセンサの生体情報出力端子であるインターフェース１（０３０４）と携帯型電子機器の凹型生体情報取得部の一部であるインターフェース２（０３１１）とが至近配置される。このとき、ＣＰＵ１は、不揮発性メモリ１にバッファされた体温情報をインターフェース１から出力させる。
【００３２】
携帯型電子機器ではＣＰＵ２（０３０６）がインターフェース２より受信した体温情報をＲＡＭ２（０３０７）に格納する。ＣＰＵ２は、生体情報処理用のプログラムを不揮発性メモリ２（０３０８）からＲＡＭ２に呼び出す。続いて、ＣＰＵ２はＲＡＭ２上に展開された当該プログラムを順次実行することで、前記格納された体温情報の加工、蓄積、出力を行う。以上によって、本実施形態の生体情報処理システムを実現できる。
【００３３】
<実施形態１：処理の流れ>  図１０は実施形態１の生体情報処理システムの装置としての処理の流れの一例を示したものである。まず、リングセンサ内のセンサがユーザの手から生体情報を取得する（Ｓ１００１  第一生体情報取得ステップ）。次に、リングセンサは取得した生体情報を保持するように記録する（Ｓ１００２  生体情報記録ステップ）。続いて、ユーザがリングセンサを装着した手で携帯型電子機器を把持したときに、前記生体情報記録ステップで記録された生体情報を生体情報出力端子から出力する（Ｓ１００３  生体情報出力ステップ）。前記生体情報出力ステップで出力された生体情報は、携帯型電子機器の凹型生体情報取得部にある入力端子で取得される（Ｓ１００４  第二生体情報取得ステップ）。最後に、携帯型電子機器は取得した生体情報を処理する（Ｓ１００５  生体情報処理ステップ）。以上の流れによって本実施形態の生体情報処理システムの処理を達成できる。
【００３４】
上記処理は、コンピュータ等の計算機に実行させるためのプログラムとして実行することもできる。その場合、当該プログラムは、リングセンサ内での生体情報記録ステップ（Ｓ１００２）と生体情報出力ステップ（Ｓ１００３）からなるプログラムと携帯型電子機器内での第二生体情報取得ステップ（Ｓ１００４）と生体情報処理ステップ（Ｓ１００５）からなるプログラムによって実行される。また、これらのプログラムを計算機によって読み取り可能な記録媒体に記録することができる。
【００３５】
<実施形態１：効果>
【００３６】
本発明の生体情報処理システムによれば、ユーザがリングセンサを装着した手で携帯型電子機器を把持するだけで、特に意識することなしに携帯型電子機器の入力端子とリングセンサの生体情報出力端子とを至近配置できる。また、情報の転送にケーブル等の有線接続を行う必要はなく、必要な電力は携帯型電子機器からの無線供給やインターフェースを介して受容できるためバッテリーも必須の構成要素ではない。それゆえ、リングセンサの小型化や軽量化も可能となる。
【００３７】
<<実施形態２>>
【００３８】
<実施形態２：概要>  図１１は実施形態２の概念の一例を示すものである。この図は、携帯型電子機器（１１０１）である携帯電話をユーザが把持したときを示している。前記実施形態１において、携帯型電子機器がリングセンサの生体情報出力端子から生体情報を取得するためには、リングセンサの当該端子の対応する位置を凹型生体情報取得部に嵌合させる必要があった。ここで、リングセンサの位置は、決まった指の関節に装着することにより、ある程度固定できる。ところが、携帯型電子機器の位置はユーザがそれをどのように把持するかによって定まるため一定しない。それゆえ、携帯型電子機器を把持しているにもかかわらず、リングセンサと凹型生体情報取得部とが嵌合されていないことが原因で携帯型電子機器が生体情報を取得できないという問題が生じ得る。そこで、本実施形態では携帯型電子機器に位置決部（１１０４）を設けることでユーザの把持する手（１１０５）を位置決めし、リングセンサ（１１０３）の生体情報出力端子（図示せず）を凹型生体情報取得部（１１０２）に、より確実に嵌合できるようにしたものである。また、ユーザにとってもこのような位置決部を設けることで、より手にフィットした感覚で携帯型電子機器を把持できるという利点もある。
【００３９】
<実施形態２：構成>  図１２は、実施形態２の構成を示す機能ブロック図の一例である。この図に示すように本実施形態は前記実施形態１の構成を基本としている。すなわち、生態情報処理システム（１２００）は、リングセンサ（１２０１）、携帯型電子機器（１２０２）、生体情報出力端子（１２０３）、そして凹型生体情報取得部（１２０４）を有している。本実施形態の特徴は、リングセンサがさらに位置決部（１２０５）を有している点である。以下に実施形態２の構成を説明するが、前記実施形態１と同様の構成については、その説明を省略し、ここでは、本実施形態に特徴的な位置決部（１２０５）についてのみを説明をする。
【００４０】
「位置決部」（１２０５）は、当該携帯型電子機器を把持する手を位置決めするように構成されている。位置決部は携帯型電子機器の外部形状である。この形状は、手の位置を無理のない状態で位置決めできればよく、特に限定はしない。例えば、図１１で示したような手の形に合わせた凹部（１１０４）や、図１３で示すような凸部（１３０１）等が該当する。又は、位置決部は図１４で示すような指型くぼみ（１４０１）であって、該当する指に装着されたリングセンサ（１４０２）が指型くぼみに接触する位置に前記生体情報取得部（図示せず）を配置するようにしてもよい。指型くぼみであれば携帯型電子機器を把持する手の位置は特定され、結果として凹型生体情報取得部（１４０３）の位置は、ほば固定される。したがって、凹型生体情報取得部に対応する指にリングセンサを装着すれば、リングセンサの生体情報出力端子をさらに確実に凹型生体情報取得部に嵌合することができるようになる。
【００４１】
なお、本実施形態のハードウェア構成、及び処理の流れについては実施形態１と同様であることからその説明は省略する。
【００４２】
<実施形態２：効果>  本実施形態の生体情報処理システムの位置決部によれば、ユーザの手の位置を携帯型電子機器にホールドすることが可能となる。それによりリングセンサの生体情報出力端子と凹型生体情報取得部とをより確実に嵌合することができる。また、ユーザは、より手にフィットした感覚で携帯型電子機器を把持できる。
【００４３】
<<実施形態３>>
【００４４】
<実施形態３：概要>  実施形態３は、前記実施形態１、又は２を基本として、さらに、リングセンサがカバー部を有することを特徴とする。前述のように生体情報の継続的な測定を行うためには、リングセンサは普段から手に装着されていることが好ましい。しかし、装着期間が長ければ、リングセンサの生体情報出力端子が傷つき、あるいは破損する可能性も高くなる。そこで、本実施形態ではカバー部を設け、生体情報出力端子の非使用時にはこれをカバーし、使用時に凹部生体情報取得部との嵌合に応じて解除するようにするものである。
【００４５】
<実施形態３：構成>  実施形態３は前記実施形態１、又は２の構成を基本としている。図１５は、実施形態１を基本とする場合の本実施形態の生態情報処理システム（１５００）の機能ブロック図の一例である。この図で示すように本実施形態は、実施形態１と同様にリングセンサ（１５０１）、携帯型電子機器（１５０２）、生体情報出力端子（１５０３）、そして凹型生体情報取得部（１５０４）を有している。本実施形態の特徴は、リングセンサがさらにカバー部（１５０５）を有している点である。以下に実施形態３の構成を説明するが、前記実施形態１と同様の構成でについては、その説明を省略し、ここでは、本実施形態に特徴的なカバー部（１５０５）についてのみを説明をする。
【００４６】
「カバー部」（１５０５）は、生体情報出力端子を保護するために生体情報出力端子の非使用時にはこれをカバーし、生体情報出力端子を使用する場合に凹型生体情報取得部との嵌合に応じてカバーを解除するように構成されている。カバー部は、カバーとそれを開閉するための周辺手段とからなる。周辺手段とは、例えばカバーが解除された時に当該カバーを収納するためのカバー収納手段や、解除されたカバーを再度閉じる時にカバーを押し戻すように機能するバネ、あるいは後述の無線開閉であれば無線センサ等が該当する。カバー部は、リングセンサの生体情報出力端子と凹型生体情報取得部間の距離に応じて当該カバーを開閉することができる。カバーの開閉方法は、例えば、物理的作用による方法や無線による方法等が挙げられる。図１６で物理的な作用による開閉の具体例を挙げて説明する。この図は、リングセンサ（１６０１）の側面が携帯型電子機器の凹型生体情報取得部（１６０３）に近づく過程で、カバー（１６０２）が開く一連の動作を示している。カバーは凹型生体情報取得部（１６０３）に近接することで、凹型生体情報取得部の突起物（１６０４）によって物理的に左右にスライドし、押し広げられる（この図では上に向かって押し上げられているように見える。）。リングセンサを凹型生体情報取得部により深く押し当てることで、カバーの下から生体情報出力端子（１６０５）が現れる仕組みである。逆に凹型生体情報取得部とを離した時は、カバーは内蔵のバネ等によって押し戻され、再び生体情報出力端子を遮蔽する。また、図１７で無線による開閉の具体例を挙げて説明する。この図は、リングセンサ（１７０１）のカバー部（１７０２）が、無線センサ（１７０４）等を有する場合を示している。当該無線センサは、凹型生体情報取得部（１７０３）若しくはその周辺の無線送信部（１７０４）から送信される電波（１７０６）等を受信するセンサである。当該電波を受信部（１７０５）にて受信したカバー部は、内蔵の微小モーターを駆動させカバーを解除する。その結果、カバーの下から生体情報出力端子（１７０７）が現れる仕組みである。
【００４７】
本実施形態のハードウェア構成、及び処理の流れについては、実施形態１と同様であることから説明は省略する。なお、カバーの解除が無線にて行われる場合には、携帯型電子機器が電波、赤外線、超音波等の無線送出器を、またリングセンサは、送出された無線を受信する受信器と受信した信号によってカバーを開閉するモーターをさらに有していればよい。
【００４８】
<実施形態３：効果>  本実施形態の生体情報処理システムによれば、手で様々なものを把持する過程においてリングセンサの生体情報出力端子が傷つき、又は破損しにくくすることができる。
【００４９】
<<実施形態４>>
【００５０】
<実施形態４：概要>  実施形態４は、生体情報処理システムに関する。本実施形態では、リングセンサが携帯型電子機器から送信された設定情報に基づいて生体情報を取得する。また、携帯型電子機器は、当該送信した設定情報から警告スケジュールを取得して、当該スケジュールに基づいてユーザに対して警告を実行することを特徴としている。これにより、ユーザは、リングセンサから生体情報を取得する上で注意するべき情報を携帯型電子機器からの警告として知ることができる。
【００５１】
<実施形態４：構成>  図１８は、本実施形態の生態情報処理システム（１８００）の機能ブロック図の一例である。この図で示すように本実施形態は、リングセンサ（１８０１）と携帯型電子機器（１８０２）とからなり、リングセンサ（１８０１）は機能設定部（１８０３）を、また携帯型電子機器（１８０２）は設定情報送信部（１８０４）、警告スケジュール取得部（１８０５）、そして警告部（１８０６）を有する。以下に実施形態３の各構成について説明するが、リングセンサ（１８０１）と携帯型電子機器（１８０２）の基本構成は前記実施形態１から３と同様であり、既に前述したものについての説明は省略する。
【００５２】
「機能設定部」（１８０３）は、携帯型電子機器から送信される設定情報に基づき機能設定を行うように構成されている。「設定情報」とは、リングセンサが手から生体情報を取得するために必要な条件等が設定された情報である。例えば、リングセンサが複数の異なる生体情報を取得可能な場合にはいずれの生体情報の項目を取得するかというセンシング項目情報や、生体情報を測定する時間間隔を何分にするかという測定時間情報等が該当する。このような設定情報は、携帯型電子機器において予め入力されている設定プログラムに従って、ユーザの好みにより作成される。あるいは当該プログラムに予め入力されたデフォールト情報を設定情報としてもよい。作成された設定情報は、次に説明する設定情報送信部より送信される。機能設定部は、当該送信された設定情報に従って、リングセンサに入力されている生体情報取得用のプログラムを実行させる機能を有する。それによって、リングセンサは設定情報に基づいた生体情報を取得するようになる。なお、機能設定部は、デバイスとしてはリングセンサのＣＰＵに該当する。
【００５３】
「設定情報送信部」（１８０４）は、リングセンサに対して設定情報を送信するように構成されている。送信は前記携帯型電子機器の凹型生体情報取得部にある出力端子からリングセンサの生体情報出力端子に出力される。ここで、凹型生体情報取得部にある出力端子は、前記実施形態１から３で述べた入力端子とは別に設けてもよいし、出力可能な端子として同じ端子であってもよい。送信方法は、例えば、端子どうしの接触によって行われる方法や、ＲＦＩＤのように無線により行われる方法等が挙げられる。設定情報送信部は、ハードウェア構成上、設定情報の送信を命令するＣＰＵ、送信用プログラムを実行するための場であるＲＡＭ、設定情報を送信したとの情報を格納するための不揮発性メモリ、及びリングセンサに送信を行うためのインターフェースから構成される。
【００５４】
「警告スケジュール取得部」（１８０５）は、送信した設定情報に基づいて警告スケジュールを取得するように構成されている。「警告」とは、リングセンサから生体情報を取得する上で必要となるユーザへの通知情報を意味する。例えば、実施例４で説明するようにリングセンサ内のバッファが取得した生体情報でいっぱいになる時間を知らせるための情報や、インターバルをおいて生体情報を取得する場合に次の取得の時間を知らせるための情報等が該当する。「警告スケジュール」は、ユーザに対して警告を実行するための予定表である。当該警告スケジュールの取得は、リングセンサに予め入力された警告スケジュール取得用プログラム等に従って、受信した設定情報（例えば、センシング項目情報、測定時間情報、測定インターバル時間情報等）から必要な情報を抽出し、加工し、処理することで実現される。警告スケジュール取得に利用される設定情報は、警告の種類に応じて適宜選択される。警告スケジュール取得部は、ハードウェア構成上、設定情報から警告スケジュールを取得する処理を行うＣＰＵ、警告スケジュール取得用プログラムを実行するための場であるＲＡＭ、及び取得した警告スケジュールを格納するための不揮発性メモリから構成される。また、警告スケジュールはカレンダーやタイムテーブルに該当し、抽出後アドレスを付されて不揮発性メモリに格納される。
【００５５】
「警告部」（１８０６）は、取得した警告スケジュールに基づいて前記警告を実行するように構成されている。「警告を実行」とは、本生体情報処理システムを利用するユーザに対して警告を発することである。警告の手段は、ユーザに対して注意を促すことのできれるものであれば、特に限定はしない。例えば、携帯型電子機器が携帯電話である場合には、当該警告としてはアラーム音、音声、バイブレーション、イルミネーション等が挙げられる。いずれの警告手段にするかはユーザが選択できるようにすればよい。警告部のハードウェア構成は、警告スケジュールに基づいて警告を実行させる処理を行うＣＰＵ、警告スケジュール実行用プログラムを実行するための場であるＲＡＭ、警告スケジュールを格納している不揮発性メモリを基本構成とする他、警告器を有する。警告器についてはその警告手段によって異なる。例えば、警告がアラームや音声であればスピーカーが、バイブレーションであればバイブレーターが、イルミネーションであればＬＥＤ等が該当する。
【００５６】
<実施形態４：ハードウェア構成上の各部の実現>  本実施形態の各部を実現するための一例を、図１９を用いて以下で具体的に説明をする。まず、ユーザが携帯型電子機器（１９０７）のキー（１９１１）から機能設定画面の呼び出しの命令を入力する。ＣＰＵ２（１９０８）は、当該命令により機能設定用プログラムを不揮発性メモリ２（１９１０）からＲＡＭ２上（１９０９）に呼び出す。ＣＰＵ２はＲＡＭ２上に展開された当該プログラムを順次実行し、機能設定画面をディスプレイ（１９１３）に表示する。ユーザは、表示された機能設定画面に従ってキーから好みの設定情報を入力する。入力された設定情報はアドレスを付された後に不揮発性メモリ２に格納される。次に、ＣＰＵ２は、当該設定情報をインターフェース２（１９１２）を介してリングセンサ（１９０１）に送信する。ＣＰＵ２は、不揮発性メモリ２から警告スケジュール取得用プログラムをＲＡＭ２上に呼び出し、ＲＡＭ２上に展開された当該プログラムを実行し、送信した設定条件から警告スケジュールを取得する。取得された警告スケジュールはアドレスを付されて不揮発性メモリ２に格納される。次に、ＣＰＵ２は警告実行用のプログラムを当該警告スケジュールと共に不揮発性メモリ２からＲＭＡ２上に呼び出す。続いて、ＣＰＵ２は警告実行用プログラムを順次実行することで、警告スケジュールに基づいて警告を実行する。例えば、実行する日時が警告スケジュールに記録された所定の日時であった場合には、ＣＰＵ２が内蔵のカレンダー（１９１５：若しくは日付機構付タイマー等）から当該日時に達した旨の情報を取得した時に、スピーカー（１９１４）にアラーム音を発するように命令をする。一方、携帯型電子機器から送信された設定情報は、リングセンサ（１９０１）のインターフェース１（１９０４）で受信され、アドレスを付された後に不揮発性メモリ１（１９０５）に格納される。ＣＰＵ１（１９０２）は、不揮発性メモリ１（１９０５）からＲＡＭ１（１９０３）上に生体情報取得用のプログラムと設定情報を呼び出す。その後、ＣＰＵ１は、当該プログラムに従い、設定情報基づいて生体情報の取得を実行する。以上によって、本実施形態の生体情報処理システムを実現できる。
【００５７】
<実施形態４：処理の流れ>  図２０は実施形態４の生体情報処理システムにおける装置としての処理の流れの一例を示したものである。本実施形態の生体情報処理システムは、手に装着してその手から生体情報を取得するリングセンサと、リングセンサから生体情報を取得して処理する携帯型電子機器とからなる。まず、携帯型電子機器においてリングセンサに対して設定情報を送信する（Ｓ２００１  設定情報送信ステップ）。次に、リングセンサにおいて携帯型電子機器から送信される設定情報に基づき機能設定を行う（Ｓ２００２  機能設定ステップ）。続いて、携帯型電子機器において送信した設定情報に基づいてリングセンサを利用するユーザに対して行う警告の警告スケジュールを取得する（Ｓ２００３  警告スケジュール取得ステップ）。最後に、携帯型電子機器において取得した警告スケジュールに基づいて前記警告を実行する（Ｓ２００４  警告ステップ）。以上の流れによって、本実施形態を処理できる。
【００５８】
上記処理は、コンピュータ等の計算機に実行させるためのプログラムとして実行することもできる。その場合、当該プログラムは、リングセンサ内での機能設定ステップ（Ｓ２００２）からなるプログラムと、携帯型電子機器内での設定情報送信ステップ（Ｓ２００１）と警告スケジュール取得ステップ（Ｓ２００３）と警告ステップ（Ｓ２００４）とからなるプログラムによって実行される。また、これらのプログラムを計算機によって読み取り可能な記録媒体に記録することができる。
【００５９】
<実施形態４：効果>  本実施形態の生体情報処理システムによれば、リングセンサが手から生体情報を取得する上でユーザが留意すべき情報を、携帯型電子機器が警告として知らせることができる。
【００６０】
<<実施形態５>>
【００６１】
<実施形態５：概要>  実施形態５は前記実施形態４を基本とする生体情報処理システムに関する。リングセンサは、前記インターバル設定手段によってなされた機能設定に従って手から生体情報を取得し続ける。このように取得された生体情報は、リングセンサのバッファ部に一時記憶される。しかし、当該バッファ部のバッファには限界がある。そこで、本実施形態は、実施形態４の警告の一形態としてリングセンサ内のバッファが取得した生体情報でいっぱいになる時間を携帯型電子機器から警告することを特徴とする。当該警告を知ったユーザは、リングセンサが装着された手で携帯型電子機器を把持する。これによりリングセンサ内のバッファ部はリセットされ、再び生体情報を取得できるバッファが確保される。
【００６２】
<実施形態５：構成>  図２１は、本実施形態の生態情報処理システム（２１００）の機能ブロックの一例である。この図で示すように本実施形態は、前記実施形態４の構成を基本としている。すなわち、本実施形態は、前記実施形態４と同様にリングセンサ（２１０１）と携帯型電子機器（２１０２）とからなり、リングセンサは機能設定部（２１０３）を、また携帯型電子機器は設定情報送信部（２１０４）、警告スケジュール取得部（２１０５）、及び警告部（２１０６）を有している。本実施形態に特徴的な構成は、リングセンサがバッファ部（２１０９）を、機能設定部がインターバル設定手段（２１０７）を、そして警告スケジュール取得部がバッファ警告スケジュール取得手段（２１０８）をさらに有している点である。以下に実施形態５の構成を説明するが、前記実施形態４と同様の構成で既に前述のものについてはその説明を省略し、ここでは本実施形態に特徴的なバッファ部、インターバル設定手段、そしてバッファ警告スケジュール取得手段について説明をする。
【００６３】
「バッファ部」（２１０９）は、取得した生体情報を送信前にバッファ（一時記憶）するように構成されている。バッファ部で保持された生体情報は、通常、生体情報出力端子を介して携帯型電子機器等に送信した後にはバッファ部から消去される。バッファ部は、デバイス上、不揮発性メモリに該当する。したがって、バッファ部の記憶容量は、リングセンサによって予め定まる。バッファ部の記憶容量は、取得した生体情報を携帯型電子機器に送信するまでの期間を少しでも長くするため、あるいはより多くの生体情報を保持するため、大きいほど好ましいが、特に限定するものではない。
【００６４】
「インターバル設定手段」（２１０７）は、送信された設定情報に基づいてセンサの測定インターバルと、測定時間に関する機能設定を行うように構成されている。生体情報の定期的な取得は重要である。しかし、一般に生体の有するホメオスタシス（恒常性維持機能）により、生体情報が近接する時間内で大きく変動することはない。電力消費や生体情報を記憶する容量の点からも連続測定はあまり好ましいとは言えない。そこで、インターバル設定手段により所定の時間間隔をあけて定期的な測定を行うことで、効率的、かつ効果的に生体情報を取得するものである。生体情報として体温を取得する設定情報を携帯型電子機器から受信した場合を例に挙げて説明する。インターバル設定手段は、受信した設定情報に基づいて、内蔵の体温センサから体温を測定する一回あたりの時間や、次の測定までのインターバル等をリングセンサに対して設定する。この測定時間や測定インターバルはユーザが好みで設定できるように設定情報に含まれていてもよいし、単に「体温測定」という設定情報に基づいてリングセンサに予め入力された生体情報取得用のプログラムに従って適切な条件を算出するものであってもよい。インターバル設定手段は、ＣＰＵ、ＲＡＭ、及び不揮発性メモリによって構成される。
【００６５】
「バッファ警告スケジュール取得手段」（２１０８）は、インターバル設定手段が利用すべき設定情報に基づいて前記バッファがいっぱいになる時間を知らせるための警告のバッファ警告スケジュールを取得するように構成されている。バッファ警告スケジュール手段は、インターバル設定手段が設定情報に基づいて機能設定を行った場合にバッファ部のバッファ（一時記憶容量）がいっぱいになる時間を、送信した設定情報から算出する。これは、例えば、測定開始時のバッファ部のバッファと時間、並びに一回の測定時間あたりに使用される記憶容量と測定インターバルとから導き出せばよい。測定インターバルと測定時間は、前述のように設定情報に含まれていてもよい。あるいは、設定情報に基づいて予め携帯型電子機器に入力されている生体情報取得用のプログラムに従って適切な条件を算出してもよい。ただし、この場合は前述のリングセンサ内に記録されている生体情報取得用のプログラムと同一の結果を算出するプログラムである必要がある。また、測定開始時のバッファ部のバッファについては、例えば、携帯型電子機器とリングセンサとの間で情報を授受する際に、空きバッファ情報としてリングセンサから取得することができる。当該算出された時間は警告のためのバッファ警告スケジュールとして取得される。このバッファ警告スケジュールに従って、携帯型電子機器は前記警告部によってリングセンサのバッファがいっぱいになる時間をユーザに警告することができる。警告を実行する時期は、特に限定をしない。バッファがいっぱいになる１時間前から１０分ごとに実行するようなものであってもよいし、バッファがいっぱいになる直前に実行してもよい。バッファ警告スケジュール取得手段は、ＣＰＵ、ＲＡＭ、及び不揮発性メモリによって構成される。なお、本実施形態のハードウェア構成上の各部の実現は、前記実施形態４と同様であることからその説明は省略する。
【００６６】
<実施形態５：処理の流れ>
【００６７】
図２２は実施形態５の生体情報処理システムにおける処理の流れの一例を示したものである。本実施形態の生体情報処理システムは、手に装着してその手から生体情報を取得するリングセンサと、リングセンサから生体情報を取得して処理する携帯型電子機器とからなる。まず、携帯型電子機器においてリングセンサに対して設定情報を送信する（Ｓ２２０１  設定情報送信ステップ）。次に、リングセンサにおいて携帯型電子機器から送信される設定情報に基づきセンサの測定インターバルと、測定時間に関する機能設定を行う（Ｓ２２０２  インターバル設定ステップ）。続いて、リングセンサにおいて取得した生体情報を送信前にバッファする（Ｓ２２０３  バッファステップ）。次に、携帯型電子機器において送信した設定情報に基づいてインターバル設定手段が利用すべき設定情報に基づいて前記バッファがいっぱいになる時間を知らせるための警告のバッファ警告スケジュールを取得する（Ｓ２２０４  バッファ警告スケジュール取得ステップ）。最後に、携帯型電子機器において取得したバッファ警告スケジュールに基づいて前記警告を実行する（Ｓ２２０５  警告ステップ）。以上の流れによって、本実施形態を処理できる。
【００６８】
<実施形態５：効果>
本実施形態の生体情報処理システムによれば、リングセンサ内のバッファが取得した生体情報でいっぱいになる時間を携帯型電子機器からの警告によって知ることができる。
【００６９】
<<実施形態６>>
【００７０】
<実施形態６：概要>  実施形態６は前記実施形態４、又は５を基本とする生体情報処理システムに関する。リングセンサが複数のセンサを有している場合には、
センサごとに実行する警告が異なる場合が生じる。そこで、本実施形態はセンシング項目ごとの警告をユーザに知らせることができる。
【００７１】
<実施形態６：構成>  図２３は、本実施形態の生態情報処理システム（２３００）のの機能ブロック一例である。本実施形態は、前記実施形態４又は５の構成を基本としている。この図では実施形態４を基本とする場合の機能ブロック図を示しており、実施形態４と同様にリングセンサ（２３０１）と携帯型電子機器（２３０２）とからなり、リングセンサは機能設定部（２３０３）を、また携帯型電子機器は設定情報送信部（２３０４）、警告スケジュール取得部（２３０５）、及び警告部（２３０６）を有している。本実施形態に特徴的な構成は、携帯型電子機器の警告スケジュール取得部がさらに項目別警告スケジュール取得手段（２３０７）を有している点である。また、このとき警告部（２３０６）が項目別警告手段（２３０８）を有することができる点である。以下に実施形態６の構成を説明するが、前記実施形態４又は５と同様の構成で既に前述のものについてはその説明を省略し、ここでは本実施形態に特徴的な項目別警告スケジュール取得手段（２３０７）、及び項目別警告手段（２３０８）について説明をする。
【００７２】
「項目別警告スケジュール取得手段」（２３０７）は、送信した設定情報に基づいて項目別警告スケジュールを取得するように構成されている。「項目別警告スケジュール」とは、携帯型電子機器から受信した設定情報に基づいて取得されるセンシング項目ごとの警告スケジュールを言う。例えば、リングセンサがセンサとして血圧センサ、体温センサ、血液成分センサ、血中酸素濃度測定センサ、脈拍センサを有している場合には、血圧、体温、血液成分、血中酸素飽和度、脈拍がセンシング項目として挙げられる。項目別警告スケジュール取得手段では、携帯型電子機器から受信した設定情報から、血圧、体温、血液成分、血中酸素飽和度、脈拍のそれぞれのセンシング項目に対して、独立に警告スケジュールを取得する。当該スケジュールに応じた警告をユーザに対して知らせることができる。項目別警告スケジュール取得手段の警告スケジュールを取得する構成は、前記実施例４又は５の警告スケジュール取得部と同様である。また、当該手段のハードウェア上の構成は、警告スケジュール取得部と同様、ＣＰＵ、ＲＡＭ、及び不揮発性メモリによって構成される。
【００７３】
「項目別警告手段」（２３０８）は、実施形態４の警告部の構成を基本として、さらに取得した項目別警告スケジュールに基づいてセンシング項目ごとに異なる警告を実行するように構成されている。例えば、センシング項目が血圧、体温、血液成分、血中酸素飽和度、脈拍であった場合、項目別警告スケジュールに基づいて、血圧の場合はアラーム音で、体温の場合は音声で、血液成分の場合はイルミネーションで、血中酸素飽和度の場合はイルミネーションとアラーム音で、そして脈拍の場合は振動でそれぞれの警告を実行するという具合である。それぞれのセンシング項目についていずれの警告手段を用いるかは、デフォールトで予め定めていてもよいし、ユーザが選択できるようにしてもよい。また、当該手段のハードウェア上の構成は、警告部と同様、ＣＰＵ、ＲＡＭ、不揮発性メモリ、及び警告器を有する。警告器はスピーカー、バイブレーター、ＬＥＤ等、複数から構成されていてもよいし、単一の警告器で構成されていてもよい。警告器が単一であっても、例えば、バイブレーターであれば、バイブレーションのパターンを変えることでセンシング項目ごとに異なる警告を実行することはできる。なお、本実施形態のハードウェア構成上の各部の実現は、前記実施形態４と同様であることからその説明は省略する。
【００７４】
<実施形態６：処理の流れ>
【００７５】
図２４は実施形態６の生体情報処理システムにおける処理の流れの一例を示したものである。本実施形態の生体情報処理システムは、手に装着してその手から生体情報を取得するリングセンサと、リングセンサから生体情報を取得して処理する携帯型電子機器とからなる。まず、携帯型電子機器においてリングセンサに対して設定情報を送信する（Ｓ２４０１  設定情報送信ステップ）。次に、携帯型電子機器から送信される設定情報に基づき機能設定を行う（Ｓ２４０２  機能設定ステップ）。続いて、携帯型電子機器において送信した設定情報に基づいてセンシング項目ごとの項目別警告スケジュールを取得する（Ｓ２４０３  項目別警告スケジュール取得ステップ）。最後に、携帯型電子機器において取得した項目別警告スケジュールに基づいて前記警告を実行する（Ｓ２４０４  警告ステップ）。このとき、センシング項目ごとに異なる警告を実行することもできる。以上の流れによって、本実施形態を処理できる。
【００７６】
<実施形態６：効果>  本実施形態の生体情報処理システムによれば、リングセンサが複数のセンサを有していても、各センサごとの警告をユーザに知らせることができる。このときセンサごとに警告手段を変えることで、ユーザはいずれのセンサからの警告かを直ちに判断できる。
【図面の簡単な説明】
【００７７】
【図１】実施形態１を説明するための概要図
【図２】実施形態１の構成を示す機能ブロックを説明するための図
【図３】実施形態１のハードウェア構成を説明するための図
【図４】リング外周部の全周にわたってリング形状に形成された生体情報出力端子を説明するための図
【図５】リング外周部の一部に円弧形状をなすように形成された生体情報出力端子を説明するための図
【図６】リングセンサの生体情報出力端子に対応する位置への凹型生体情報取得部の嵌合を説明するための図
【図７】生体情報出力端子が被覆された状態を説明するための図
【図８】リングセンサの外周形状が生体情報出力端子を中心に非点対称形状である場合を説明するための図（その１）
【図９】リングセンサの外周形状が生体情報出力端子を中心に非点対称形状である場合を説明するための図（その２）
【図１０】実施形態１の処理の流れを説明するための図
【図１１】実施形態２を説明するための概要図
【図１２】実施形態２の構成を示す機能ブロックを説明するための図
【図１３】凸部形状の位置決部を説明するための図
【図１４】指型くぼみの位置決部を説明するための図
【図１５】実施形態３の構成を示す機能ブロックを説明するための図
【図１６】物理的な作用により開閉を行うカバー部を説明するための図
【図１７】無線通信により開閉を行うカバー部を説明するための図
【図１８】実施形態４の構成を示す機能ブロックを説明するための図
【図１９】実施形態４のハードウェア構成を説明するための図
【図２０】実施形態４の処理の流れを説明するための図
【図２１】実施形態５の構成を示す機能ブロックを説明するための図
【図２２】実施形態５の処理の流れを説明するための図
【図２３】実施形態６の構成を示す機能ブロックを説明するための図
【図２４】実施形態６の処理の流れを説明するための図
【符号の説明】
【００７８】
０１０１：リングセンサ
０１０２：携帯型電子機器
０１０３：凹型生体情報取得部
【図１】
2007252780.tif 000003
【図２】
2007252780.tif 000004
【図３】
2007252780.tif 000005
【図４】
2007252780.tif 000006
【図５】
2007252780.tif 000007
【図６】
2007252780.tif 000008
【図７】
2007252780.tif 000009
【図８】
2007252780.tif 000010
【図９】
2007252780.tif 000011
【図１０】
2007252780.tif 000012
【図１１】
2007252780.tif 000013
【図１２】
2007252780.tif 000014
【図１３】
2007252780.tif 000015
【図１４】
2007252780.tif 000016
【図１５】
2007252780.tif 000017
【図１６】
2007252780.tif 000018
【図１７】
2007252780.tif 000019
【図１８】
2007252780.tif 000020
【図１９】
2007252780.tif 000021
【図２０】
2007252780.tif 000022
【図２１】
2007252780.tif 000023
【図２２】
2007252780.tif 000024
【図２３】
2007252780.tif 000025
【図２４】
2007252780.tif 000026